(57)【要約】【課題】  蓋を固定する加力装置や蓋を回転させる装置を設けることなく、容器内の放射性廃棄物や放射性ダストが外に漏れないようにシール機能を確保する。【解決手段】  蓋密閉時に容器内周面に対向する蓋外周面に外れ止めパッキン４を装着し、蓋密閉時に容器の開放側端面に対向する位置の蓋面下面に全周に連続して蓋下面パッキン５を装着し、蓋密閉時に前記蓋下面パッキン５に当接する位置の容器開放側端面全周に連続してシール用パッキン６を装着する。外れ止めパッキン４は、蓋密閉時に前記容器内周面に当接するとともに、容器軸方向に貫通する開孔と切欠きのいずれかもしくは双方を備えたものとし、シール用パッキン６は、容器開放側端面に固着される平板状部６ａと、この平板状部に結合され前記蓋下面パッキンを介して負荷される蓋の自重により変形する変形部６ｂとを備え、蓋閉鎖時、前記蓋下面パッキンに当接して容器を密閉するものとする。【選択図】        図１
2005207917.tif 000002
【特許請求の範囲】
【請求項１】
軸方向一端が開放された容器と、この容器の前記開放端を密閉する蓋と、蓋密閉時に容器内周面に対向する蓋外周面に装着された外れ止めパッキンと、蓋密閉時に容器の開放側端面に対向する位置の蓋面下面に全周に連続して装着された蓋下面パッキンと、蓋密閉時に前記蓋下面パッキンに当接する位置の容器開放側端面全周に連続して装着され、蓋閉鎖時、前記蓋下面パッキンに当接して容器を密閉するシール用パッキンと、を備えてなり、前記外れ止めパッキンは、蓋密閉時に前記容器内周面に当接するとともに、容器軸方向に貫通する開孔と切欠きのいずれかもしくは双方を備え、前記シール用パッキンは、容器開放側端面に固着される平板状部分と、この平板状部分に結合され前記蓋下面パッキンを介して負荷される蓋の自重により変形する変形部分とを備えてなる放射性廃棄物収納容器。
【請求項２】
請求項1記載の放射性廃棄物収納用容器において、外れ止めパッキンは、容器軸線を含む平面で切った断面がＬ字形をなし、その縦辺が前記蓋外周面に固着され、その横辺の先端が蓋密閉時に前記容器内周面に当接するとともに、該横辺に容器軸方向に貫通する開孔と切欠きのいずれかもしくは双方を備えるスリット付きL形パッキン、容器軸線を含む平面で切った断面が中空のＤ字形をなし、その縦辺が前記蓋外周面に固着され、Ｄ字形の曲線部が蓋密閉時に前記容器内周面に当接するとともに、Ｄ字形の上下の辺に容器軸方向に貫通する開孔と切欠きのいずれかもしくは双方を備えるスリット付きＤ形パッキン、容器軸線を含む平面で切った断面が楔形をなし、楔形断面の底辺が前記蓋外周面に固着され、楔形の先端部が蓋密閉時に前記容器内周面に当接するとともに、楔形部分を容器軸方向に貫通する開孔と切欠きのいずれかもしくは双方を設けたスリット付き楔形パッキン、容器軸線を含む平面で切った断面がＬ字形の横辺先端に方形部分を備えたブロック付きＬ字形をなし、Ｌ字形の縦辺が前記蓋外周面に固着され、その横辺の先端に固着された断面方形のスポンジ状部分が蓋密閉時に前記容器内周面に当接するとともに、横辺と方形部分に容器軸方向に貫通する開孔と切欠きのいずれかもしくは双方を備えるスポンジパッキン、のうちのいずれかであることを特徴とする放射性廃棄物収納用容器。
【請求項３】
請求項1または２記載の放射性廃棄物収納用容器において、前記シール用パッキンは、変形部分がガス抜き孔を備えた中空Ｏリングであるガス抜き孔付きＯリング、変形部分がベローズ状のパッキンであるベローズリング、容器軸線を含む平面で切った断面がフ形をなし、その横辺が容器開放側端面に固着される平板状部分であり、その斜めの辺が、平板状の部分との結合点を容器外周側にし、容器中心線側に近づくにつれて容器底部から離れる方向に傾斜する変形部分をなしているフ形パッキン、のうちのいずれかであることを特徴とする放射性廃棄物収納用容器。
【請求項４】
請求項1〜３のうちのいずれか１項に記載の放射性廃棄物収納用容器において、蓋密閉時に容器の開放側端面に対向する位置の蓋面下面に全周に連続して前記蓋下面パッキンに代えてシール用パッキンが装着され、容器開放側端面全周に連続して前記シール用パッキンに代えて前記蓋下面パッキンが装着されていることを特徴とする放射性廃棄物収納用容器。
【発明の詳細な説明】
【技術分野】
【０００１】
本発明は、核燃料再処理施設その他各種原子力施設から排出される放射性廃棄物の収納用容器に関する。
【背景技術】
【０００２】
核燃料再処理施設その他各種原子力施設から排出される放射性廃棄物を、放射線管理区域Ａからもっと管理レベルの低い放射線管理区域Ｂに搬出する場合には、放射線管理区域Ｂが放射線管理区域Ａからの放射性物質で汚染されないようにして搬出する必要がある。
【０００３】
放射線管理区域Ａから放射線管理区域Ｂへの放射性廃棄物の搬出は、従来次のように行われている。即ち、放射線管理区域Ａから放射線管理区域Ｂへ放射性廃棄物を搬出する場合には、放射線管理区域Ａと放射線管理区域Ｂとの間に、放射性廃棄物搬出用の放射線のしゃへい及び放射能の汚染拡大防止のシール機能を備えた放射線しゃへいハッチを取りつけている。
【０００４】
放射線管理区域Ａから放射線管理区域Ｂに放射性廃棄物を搬出する場合には、まず、放射線管理区域Ｂ側にて、搬送用キャスクに蓋で密閉された放射性廃棄物収納用容器を収納して、放射線しゃへいハッチまで運搬する。このとき、放射線しゃへいハッチは、通常、床面に床上区画と床下区画を連通するように形成された開口に取り付けられ、床上が放射線管理区域Ａ、床下が放射線管理区域Ｂ側となっている。したがって、放射性廃棄物収納用容器を収納した搬送用キャスクは、搬送用キャスク開口部を上にした状態で放射線しゃへいハッチの直下の位置に位置決めされる。次いで、搬送用キャスクは上昇しつつ放射線しゃへいハッチが取り付けられている床スラブ等の放射線しゃへいハッチ支持部材の下面に接近させられ、搬送用キャスク開口部上端面が該下面に当接させられる。放射線しゃへいハッチ支持部材の下面と搬送用キャスク開口部上端面は互いに当接したとき、その間が隙間なく密着するように形成されており、搬送用キャスクは、その開口部上端面が放射線しゃへいハッチ支持部材の下面に密着した状態に保持される。
【０００５】
放射性廃棄物収納用容器も搬送用キャスクに対して相対的に上方に動かされ、放射性廃棄物収納用容器の上端面外縁部が同じく放射線しゃへいハッチが取り付いているスラブ等の支持部材下面に密着してその間が気密にシールされる。なお、放射性廃棄物収納用容器の蓋の外縁は、スラブ等の支持部材下面に密着する放射性廃棄物収納用容器（以下、容器という）の上端面外縁部よりも内側にある。
【０００６】
放射線しゃへいハッチは上方に開かれるが、開くときは、容器本体を密閉する蓋の上面に取り付けられている蓋開閉掴みジグを放射線しゃへいハッチが掴み、放射線しゃへいハッチが開くとき同時に容器本体から蓋が取り外される。
【０００７】
放射線しゃへいハッチ開放時に、ハッチ開口部を通って下方の放射線管理区域Ｂへ漏洩した放射線は、ハッチ下面（スラブ等の支持部材下面）に上端を密着させてハッチ開口を下から囲む搬送用キャスクで遮蔽される。また、シール機能を備えた容器の上端面外縁部とスラブ等の支持部材下面との間の密閉により、放射線管理区域Ａから放射線管理区域Ｂへの放射能の汚染拡大が防止される。
【０００８】
容器の蓋が開放されたら、放射性廃棄物が上方から放射線しゃへいハッチを通して放射性廃棄物収納用容器に入れられ、次いで蓋を掴んだままの放射線しゃへいハッチが閉められる。放射線しゃへいハッチが閉められるのに伴って容器の蓋も容器の開放端に嵌め込まれる。放射線しゃへいハッチが閉められ、容器の蓋も容器の開放端に嵌め込まれたら、放射線しゃへいハッチの蓋掴みジグが開放される。
【０００９】
蓋は、容器搬送時に、振動などで横方向にずれることのないように、容器に嵌め込まれるようになっており、このため、蓋の嵌め込み時には、放射性廃棄物収納用容器の内部気体が蓋にて押し付けられて容器内圧が上昇する。内圧が上昇すると内圧により蓋が持ち上がりやすく、シールが破壊されやすくなる。先行技術においては、蓋のシール機能が損なわれないようにするために、蓋を強制的に容器本体に押し付ける方式が用いられてきた。
【００１０】
例えば特許文献１には、放射性廃棄物収納用容器ではないが、陶磁製容器に陶磁製蓋体で蓋をする場合において、蓋体下面の外周側に設けた円周突条を、リング状にして合成樹脂製の外被体における上面中央の円周方向に形成した嵌合溝内に嵌合、固着し、外被体の外側面にパッキンを周設するとともに、該パッキンに抜気孔を設けることによって、蓋を押し込むとパッキンの外周側が捲くれあがるように変形しながら蓋が下方に移動し、容器内の空気は抜気孔を通って外部に流出するようにしたものが示されている。
【００１１】
また、特許文献２には、放射性物質をダブルドアシステムを介して収容し搬送するコンテナにおいて、コンテナ容器本体内周面に内径方向に突出形成された突条部を設け、蓋に前記突条部に係合する係合部を設けて蓋を載置した後に回転させて係合部を前記突条部に係合させるようにした例が示されている。
【００１２】
【特許文献１】特開平９−２４０７１８号公報
【特許文献２】特開２００３−２９４１５０号公報
【発明の開示】
【発明が解決しようとする課題】
【００１３】
特許文献１においては、内圧による蓋の外れの防止のために強制的に蓋を押し付ける方式が用いられてきた。しかし、放射性廃棄物収納用容器の場合は、容器の径が大きく、必要な押し付け力を発生させる為には、電気の動力源等を使用した加力装置を用いる必要がある。加力装置は、放射線しゃへいハッチと蓋の間の狭い空間に設置する必要がある。先行技術においては、加力装置の設置と加力装置の保守、補修作業が発生する問題点が生じた。
【００１４】
また、特許文献２に記載の方法では、大きな押し付け力を発生させる必要はないが、蓋を嵌め込んだあと、蓋を回転させる必要があり、そのための装置を設ける必要がある。この装置も保守、補修作業が発生する。
【００１５】
本発明の課題は、蓋を固定する加力装置や蓋を回転させる装置を設けることなく、蓋取付時に放射性廃棄物収納用容器内の放射性廃棄物や放射性ダストが外に漏れないようにシール機能を確保した放射性廃棄物収納用容器を提供することにある。
【課題を解決するための手段】
【００１６】
上記目的を達成するため、本発明による放射性廃棄物収納用容器は、軸方向一端が開放された容器と、この容器の前記開放端を密閉する蓋と、蓋密閉時に容器内周面に対向する蓋外周面に装着された外れ止めパッキンと、蓋密閉時に容器の開放側端面に対向する位置の蓋面下面に全周に連続して装着された蓋下面パッキンと、蓋密閉時に前記蓋下面パッキンに当接する位置の容器開放側端面全周に連続して装着され、蓋閉鎖時、前記蓋下面パッキンに当接して容器を密閉するシール用パッキンと、を備えてなり、前記外れ止めパッキンは、蓋密閉時に前記容器内周面に当接するとともに、容器軸方向に貫通する開孔と切欠きのいずれかもしくは双方を備え、前記シール用パッキンは、容器開放側端面に固着される平板状部分と、この平板状部分に結合され前記蓋下面パッキンを介して負荷される蓋の自重により変形する変形部分とを備えている。
【００１７】
上記構成によれば、蓋が容器に載置されるときは、まず蓋の外れ止めパッキンが容器内周面に当接しながら蓋が容器内に嵌まり込んで空気を圧縮するが、外れ止めパッキンには容器軸方向に貫通する開孔と切欠きのいずれかもしくは双方を備えているので、容器内の空気は圧縮されるにつれて前記開孔と切欠きのいずれかもしくは双方を経て容器外（放射線管理区域）へ抜け出る。蓋閉鎖の最終段階になると蓋下面パッキンとシール用パッキンが互いに当接して容器を密閉し、容器内の空気は抜け出ることはなくなるが、蓋下面パッキンとシール用パッキンが互いに当接したあとは、蓋が容器内に嵌まり込む量は少なく、容器内空気の圧縮によるシール破壊の懸念はない。
【００１８】
また、蓋が閉鎖された状態では、外れ止めパッキンが容器内周面に当接しているから、放射性廃棄物収納用容器が移送中に横ブレを生じても、蓋がずれることはない。さらに、蓋が閉鎖された状態では、外れ止めパッキンが容器内周面に当接しているから、放射性廃棄物収納用容器が移送中に上下に動いて蓋が容器に対して相対的に上下に動こうとしても、外れ止めパッキンと容器内周面の間には摩擦力が生じ、蓋の浮き上がりが抑制される。また、蓋が多少上下に動いたとしても、シール用パッキンの変形部分が蓋の動きに追従して変形し、シールを維持する。
【００１９】
外れ止めパッキンとして具体的には、容器軸線を含む平面で切った断面がＬ字形をなし、その縦辺が前記蓋外周面に固着され、その横辺の先端が蓋密閉時に前記容器内周面に当接するとともに、該横辺に容器軸方向に貫通する開孔と切欠きのいずれかもしくは双方を備えるスリット付きL形パッキン、容器軸線を含む平面で切った断面が中空のＤ字形をなし、その縦辺が前記蓋外周面に固着され、Ｄ字形の曲線部が蓋密閉時に前記容器内周面に当接するとともに、Ｄ字形の上下の辺に容器軸方向に貫通する開孔と切欠きのいずれかもしくは双方を備えるスリット付きＤ形パッキン、容器軸線を含む平面で切った断面が楔形をなし、楔形断面の底辺が前記蓋外周面に固着され、楔形の先端部が蓋密閉時に前記容器内周面に当接するとともに、楔形部分を容器軸方向に貫通する開孔と切欠きのいずれかもしくは双方を設けたスリット付き楔形パッキン、容器軸線を含む平面で切った断面がＬ字形の横辺先端に方形部分を備えたブロック付きＬ字形をなし、Ｌ字形の縦辺が前記蓋外周面に固着され、その横辺の先端に固着された断面方形のスポンジ状部分が蓋密閉時に前記容器内周面に当接するとともに、横辺と方形部分に容器軸方向に貫通する開孔と切欠きのいずれかもしくは双方を備えるスポンジパッキン、などが適用可能である。
【００２０】
また、シール用パッキンとして具体的には、変形部分がガス抜き孔を備えた中空Ｏリングであるガス抜き孔付きＯリング、変形部分がベローズ状のパッキンであるベローズリング、容器軸線を含む平面で切った断面がフ形をなし、その横辺が容器開放側端面に固着される平板状の部分であり、その斜めの辺が、平板状の部分との結合点を容器外周側にし、容器中心線側に近づくにつれて容器底部から離れる方向に傾斜する変形部分をなしているフ形パッキン、などが適用可能である。
【００２１】
なお、シール用パッキンと蓋下面パッキンを入れ替え、シール用パッキンを蓋下面に、蓋下面パッキンを容器フランジ端面に、それぞれ取り付けるようにしてもよい。
【発明の効果】
【００２２】
本発明によれば、蓋の外周部に取り付けた外れ止めパッキンにて、蓋が閉まる場合に発生する内圧を放射線管理区域へ逃がすことが可能である為に、蓋の取り付け時に加力装置等による押し付ける方式や蓋を回転させる方式を回避できる。又、蓋下面パッキンとシール用パッキンにて、蓋が閉まったときは密閉性を保持することが可能となり、放射線管理レベルの高い区域から放射線管理レベルの低い区域へ放射性廃棄物を搬出する際に、放射線管理レベルの低い区域の汚染を防止することができる。
【発明を実施するための最良の形態】
【００２３】
本発明の基本的な実施例である放射性廃棄物収納用容器につき図２を用いて説明する。放射性廃棄物収納用容器の全体構造を図２に、蓋の外周部及び容器本体の上部外周部を拡大して図１に示す。以下、図の上方向を上、図の下方向を下として説明する。
【００２４】
図２に示す放射性廃棄物収納用容器は、上端が開放され開放端に容器フランジ７を備えた容器本体１と、周囲に蓋フランジ２０を備えて容器本体１の開放端に装着される蓋２と、蓋２の外面（上面）中央に設けられた蓋掴み部３と、蓋フランジ２０の外周面全周に固着され上下方向に貫通する切り欠きを備えた蓋の外れ止めパッキン４と、蓋フランジ２０の外縁下面の容器フランジ７の上面に対向する位置に全周に亘って装着された蓋下面パッキン５と、容器フランジ７の上面の前記蓋下面パッキン５に対向する位置に同じく全周に亘って装着されたシール用パッキン６と、シール用パッキン６の外周側の容器フランジ７の上面全周に装着されたシール材２３と、を含んで構成されている。
【００２５】
蓋フランジ２０は、容器本体１の上下方向軸線を含む平面で切った断面が、上下２段の横方向平面部２０ａ、２０ｂとその間を接続する縦方向側面部２０ｃからなる階段状をなしている。そして、蓋２が容器本体１に載置されたとき、ほぼ縦方向側面部２０ｃの高さだけ、蓋２が容器本体１内に嵌め込まれるようになっている。また、下段の横方向平面部２０ａが蓋板に結合され、上段の横方向平面部２０ｂ下面が容器フランジ７の上面に対向していて前記蓋下面パッキン５が装着されている。縦方向側面部２０ｃの外周面は容器フランジ７の内周面に対向しており、前記蓋の外れ止めパッキン４は、縦方向側面部の外周面に装着されて、容器フランジ７の内周面に対向しかつ当接している。
【００２６】
外れ止めパッキン４は、容器本体１の上下方向軸線を含む平面で切った断面が横辺を２本持つＬ形をなしており、スリット付きＬ形パッキンである。Ｌ形の縦の部分が前記縦方向側面部２０ｃ外周面に接着された平板状の基部４ａをなし、この基部４ａからＬ形の２本の横辺の部分（以下、フィン部４ｂという）が互いに平行に横方向（容器本体１の上下方向軸線に直交する方向）に延びている。蓋２が容器本体１に装着されている状態で、外れ止めパッキン４が取り付けられている位置での容器フランジ内周面と蓋フランジ２０の縦方向側面部２０ｃの外周面の間隔は約１０ｍｍであり、前記フィン部４ｂの、容器本体１の上下方向軸線に直交する方向の長さは、１５ｍｍとしてある。また、フィン部４ｂには、フィン部４ｂの上下の空間を連通する開孔４ｃが、複数箇所に設けてある。開孔４ｃは孔ではなく、切欠き（スリット）でもよい。
【００２７】
蓋下面パッキン５は平板状であるが、シール用パッキン６は、容器本体１の上下方向軸線を含む平面で切った断面が片仮名のフの字を逆にした形状をなしており、変形部分であるフの字の斜めの辺の末端が容器本体１の中心側を向くように、平板状部分であるフの字の横の辺の上面が容器フランジ７の上面に接着されている。
【００２８】
本実施例では、外れ止めパッキン４、蓋下面パッキン５、シール用パッキン６、シール材２３は、いずれもシリコンゴム製としてある。
【００２９】
図３は、搬送用キャスク８に本発明の放射性廃棄物収納用容器が収納され、放射線しゃへいハッチ９の下方に置かれた状態を示す。放射線しゃへいハッチ９は、放射線管理レベルの高い放射線管理区域Ａとそれよりも放射線管理レベルの低い放射線管理区域Ｂを隔てる床スラブ２１に形成された開口に設置されている。放射線しゃへいハッチ９は、前記開口に直接設置されているのではなく、前記開口に装着された外周部材２２の中央の開口に嵌まり込むようになっている。なお、放射線しゃへいハッチ９の下面（放射線しゃへいハッチ９が閉じられた状態での下面）外周部には放射線しゃへいハッチパッキン１０及び放射線しゃへいハッチパッキン１１が全周に亘って重ねて装着されている。
【００３０】
図３に示す状態では放射線しゃへいハッチ９は閉じられており、中心線の右側は、搬送用キャスク８の上端が放射線しゃへいハッチ９が設けられた床スラブ２１の下面に当接し、放射性廃棄物収納用容器と放射線しゃへいハッチ９が当接した状態を示す。
【００３１】
図４は、放射性廃棄物収納用容器と放射線しゃへいハッチ９が当接した部分の拡大図である。図４は、放射線しゃへいハッチ９が閉まった状態であり、この状態では、放射性廃棄物収納用容器の容器フランジ７はシール材２３を介して放射線しゃへいハッチの外周部材２２の下面に当接し、蓋フランジ２０の上面と放射線しゃへいハッチ９の間は、蓋フランジ２０の上面に当接した放射線しゃへいハッチ部パッキン１１で気密にシールされている。なお、放射線しゃへいハッチ部パッキン１１が蓋フランジ２０の上面に当接する際、気密性を確保するため、放射線しゃへいハッチ部パッキン１１が蓋フランジ２０の上面に押し付けられるので、シール用パッキン６は蓋２が容器本体１に嵌め込まれた状態からさらに下方に変位できるように、柔軟な材質で変形可能な形状にしてある。
【００３２】
以下、放射性廃棄物収納用容器を収容した搬送用キャスク８が放射線しゃへいハッチ９の下方に位置決めされた後の作業手順を順に説明する。搬送状態では、図３の左半部に示されているように、放射性廃棄物収納用容器には蓋２が装着されており、蓋２の上面は搬送用キャスク８の上端面よりも下になっている。搬送用キャスク８が放射線しゃへいハッチ９の下方に位置決めされたら、搬送用キャスク８が放射性廃棄物収納用容器を収納したまま、押し上げられ、搬送用キャスク８の上端が、図３の右半部に示すように、放射線しゃへいハッチ９が取り付けられた床スラブ２１の下面に当接して密着する。
【００３３】
次いで、放射性廃棄物収納用容器が搬送用キャスク８に対して相対的に押し上げられ、放射性廃棄物収納用容器の容器フランジ７上面のシール材２３が放射線しゃへいハッチの外周部材２２の下面に当接して密着する。放射性廃棄物収納用容器が押し上げられるときは放射線しゃへいハッチ９は閉じられているから、蓋２の上面外周部（正確には蓋フランジ２０の上面外周部）は、放射性廃棄物収納用容器の上昇に伴い、放射線しゃへいハッチ９の下面外周部を構成する放射線しゃへいハッチパッキン１１に当接する。単に当接しただけでは気密の確保が困難なので、放射線しゃへいハッチパッキン１１及びシール用パッキン６はいずれも圧縮変形された状態で放射性廃棄物収納用容器の上昇が停止されるようになっている。
【００３４】
また放射性廃棄物収納用容器の上昇の最終段階では、蓋フランジ２０の縦方向側面部２０ｃの中心側壁面（内周面）が放射線しゃへいハッチ９の位置決め部材２４に接触しつつ上昇し、放射線しゃへいハッチ９に対して、蓋２、つまりは蓋２に装着されている蓋掴み部３が放射線しゃへいハッチ９に対して、正確に位置決めされる。
【００３５】
放射性廃棄物収納用容器の上昇が停止した段階では、搬送用キャスク８の上端が放射線しゃへいハッチ９が取り付けられた床スラブ２１の下面に当接して密着し、放射性廃棄物収納用容器の容器フランジ７上面のシール材２３が放射線しゃへいハッチの外周部材２２の下面に当接して密着している。また、蓋２の上面外周部（正確には蓋フランジ２０の上面外周部）が放射線しゃへいハッチ９の下面外周部を構成する放射線しゃへいハッチパッキン１１に当接して密着し、蓋下面パッキン５とシール用パッキン６が当接して密着している。
【００３６】
放射性廃棄物収納用容器の上昇が停止すると、放射線しゃへいハッチ９の蓋掴み冶具が蓋２の蓋掴み部３を掴み、次いで、放射線しゃへいハッチ９が上方に開かれる。放射線しゃへいハッチ９が開かれた状態では、搬送用キャスク８の上端が床スラブ下面と密着していて、放射線管理区域Ａから放射線が放射線管理区域Ｂに漏洩するのが防止される。また、放射性廃棄物収納用容器の容器フランジ７の上面のシール材２３が外周部材２２の下面に密着して気密にシールしていて、放射線管理区域Ａから放射性物質が放射線管理区域Ｂに漏洩するのが防止される。さらに、蓋２の上面と放射線しゃへいハッチ９との間は放射線しゃへいハッチパッキン１１及びシール用パッキン６で気密にシールされており、蓋２の上面は放射線しゃへいハッチ９が開いた状態でも、放射線管理区域Ａの雰囲気に曝されることはない。逆に、放射線しゃへいハッチ９の下面（放射線しゃへいハッチ９が閉じられた状態での下面）も、放射線しゃへいハッチ９が閉じた状態では放射線管理区域Ａの雰囲気に曝されることはないし、放射線しゃへいハッチ９が開いた状態では、蓋２で覆われていて、放射線管理区域Ａの雰囲気に曝されることはない。
【００３７】
放射線しゃへいハッチ９が開かれたら、開口部を通して放射性廃棄物が放射線管理区域Ａから、放射性廃棄物収納用容器に入れられる。放射性廃棄物が放射性廃棄物収納用容器に入れられたら、放射線しゃへいハッチ９が閉じられる。
【００３８】
図５は、蓋２を掴んだ放射線しゃへいハッチ９が、閉まる状態を示す。図６は、放射線しゃへいハッチ９が閉まった状態を示す。放射線しゃへいハッチ９が閉まるにつれて、放射線しゃへいハッチ９下方の空気は放射線しゃへいハッチ９と外周部材２２の間を通って放射線管理区域Ａに移動する。さらに放射線しゃへいハッチ９が閉まっていくと、外れ止めパッキン４のフィン部４ｂが容器フランジ７の内周面に当接し、フィン部４ｂが容器フランジ７の内周面に摺接しつつ下方に移動するようになる。このとき蓋２よりも下方にある容器本体１内の空気は多少圧縮されるが、圧縮に伴ってフィン部４ｂの開孔４ｃから上方に、つまり、放射線管理区域Ａに抜け出していく。
【００３９】
続いて放射線しゃへいハッチ９が閉まっていくと、蓋下面パッキン５がシール用パッキン６に当接し、シール用パッキン６が押し曲げられていく。シール用パッキン６を前述のように、フの字形状にしたことで、蓋下面パッキン５を装着した蓋２が上方から下降してきたとき、フの字の斜めの辺の末端が蓋下面パッキン５に当接した段階で、蓋下面パッキン５とシール用パッキン６の間がシールされる。蓋２がさらに下降すると、フの字の斜めの辺が蓋下面パッキン５に当接したまま、変形しながら押し下げられるが、蓋下面パッキン５とシール用パッキン６の間はシールされた状態が継続する。蓋下面パッキン５がシール用パッキン６に接触して両者間が気密に当接すると、放射性廃棄物収納用容器内の空気は抜け出せなくなる。しかし、この時点以降は蓋２の下降量はシール用パッキン６の変形分だけであり、内圧の増加は微小である。放射線しゃへいハッチ９が完全に閉まると、つまり、放射線しゃへいハッチパッキン１０の下面外周側の傾斜面が外周部材２２の内周面下部の上向き傾斜面に気密に当接すると、蓋掴み冶具は蓋掴み部３を離す。この状態で、蓋下面パッキン５とシール用パッキン６の間が気密に保たれ、放射性廃棄物収納用容器内の空気や放射性物質が放射性廃棄物収納用容器外に漏出することがなくなる。
【００４０】
蓋掴み冶具が蓋掴み部３を離すと、放射性廃棄物収納用容器は搬送用キャスク８内で下降を始める。図７は、放射性廃棄物収納用容器が搬出の為に、搬送用キャスク容器８内を降下している状態を示す。図７の状態では、蓋外周部に取り付けられた外れ止めパッキン４は、蓋外周部と容器フランジ７内周面の間で圧縮され、外れ止めパッキン４と容器フランジ７内周面の間には摩擦力が生じる。この摩擦力の存在で蓋２が移動中に浮き上がるのが防止され、蓋下面パッキン５とシール用パッキン６の間の気密の確保が容易になる。また、容器フランジ７内周面と蓋フランジ２０の縦方向側面部２０ｃの間に外れ止めパッキン４が介在することで、放射性廃棄物収納用容器が移動中に横ぶれすることがあっても、蓋２がずれる心配がなくなる。
【００４１】
本実施例によれば、蓋２の閉止過程で圧縮された放射性廃棄物収納用容器内の空気は、外れ止めパッキン４の開孔４ｃを通って放射性廃棄物収納用容器外（放射線管理区域Ａ）に抜け出し、その後、蓋下面パッキン５とシール用パッキン６で放射性廃棄物収納用容器が密閉されるから、特別な加力装置や蓋回転装置を用いることなく放射性廃棄物収納用容器の密閉が可能になる。また、蓋２の蓋フランジ２０と容器フランジ７の間に外れ止めパッキン４を介在させたので、放射性廃棄物収納用容器が移動中に横ぶれすることがあっても、蓋２がずれる心配がなくなるとともに、蓋２の浮き上がりが抑制され、蓋下面パッキン５とシール用パッキン６の間のシール破壊が抑制される。さらに、シール用パッキン６として変形してもシール性を維持するとともに元の形状に復帰しても蓋下面パッキン５と当接していればシール性を維持する形状のフ形パッキンを用いたので、蓋２が上下動した場合でも、シール性が破壊されにくい。
【００４２】
上記実施例では、外れ止めパッキン４として断面Ｌ形のパッキン（スリット付きＬ型パッキン）を用いたが、蓋閉鎖時に容器フランジ内周面に摺接して摩擦力を発生し、かつ、当該パッキンより上の区画と下の区画を連通する開孔と切欠きのいずれかもしくはその双方を備えたものであれば、断面Ｌ形以外の形状でもよい。また、外れ止めパッキン４は、上述のようにシールを目的としたものではなく、蓋のずれ止め、及び浮き上がり防止が目的であるから、十分な摩擦力が得られるならば必ずしも蓋の全周に連続的に設けなくともよい。
【００４３】
図８から図１１は、スリット付きＬ型パッキンと同じ機能を有するスリット付きＤ型パッキン１２、スリット付き楔型パッキン１３、スポンジパッキン１４をフィン部４ｃ端部に取り付けたＬ型パッキン１４及びスリット付きブロック型パッキン１５の例を示している。
【００４４】
上記実施例ではまた、シール用パッキン６として、フ形パッキンを用いたが、上下方向に圧縮変形が可能であり、蓋２がある程度上下動してもシール性を維持できるものであれば、フ形パッキン以外の形状でもよい。
【００４５】
シール用パッキンの他の例として、図１２に示す、平板状の基部１６ａにガス抜き孔１６ｃを備えた中空Ｏリング１６ｂを変形部分として結合したガス抜き孔付きＯリング１６、また、図１３に示す、平板状の基部１７ａにベローズ状のパッキンを変形部分として結合したベローズリング１７が利用可能である。図１４に示すように、前記図１において蓋フランジ２０外周部下面に装着した蓋下面パッキンを容器フランジ７の上面に装着して容器フランジ外周部パッキン１９とし、容器フランジ７の上面に装着していたシール用パッキン（フ形パッキン）を蓋フランジ２０外周部下面に装着して蓋外周部フ形パッキン１８としても、同様の効果が得られる。
【図面の簡単な説明】
【００４６】
【図１】本発明の実施例に係わる放射性廃棄物収納用容器の容器本体と蓋の外周部を拡大して示す縦断面図である。
【図２】本発明に係わる放射性廃棄物収納用容器の実施例を示す縦断面図である。
【図３】図２における放射性廃棄物収納用容器と放射線しゃへいハッチ及び搬送用キャスクの相互関係を示す縦断面図である。
【図４】図３の部分を拡大して示す縦断面図である。
【図５】本発明の実施例に係わる放射性廃棄物収納用容器の蓋が外された状態を示す縦断面図である。
【図６】本発明の実施例に係わる放射性廃棄物収納用容器の蓋が閉められた状態を示す縦断面図である
【図７】本発明の実施例に係わる放射性廃棄物収納用容器が、搬出の為に搬送用キャスク内で降下している状態を示す縦断面図である。
【図８】本発明の実施例に係わる放射性廃棄物収納用容器の外れ止めパッキンの他の例を示す縦断面図である。
【図９】本発明の実施例に係わる放射性廃棄物収納用容器の外れ止めパッキンの他の例を示す縦断面図である。
【図１０】本発明の実施例に係わる放射性廃棄物収納用容器の外れ止めパッキンの他の例を示す縦断面図である。
【図１１】本発明の実施例に係わる放射性廃棄物収納用容器の外れ止めパッキンの他の例を示す縦断面図である。
【図１２】本発明の実施例に係わる放射性廃棄物収納用容器のシール用パッキンの他の例を示す縦断面図である。
【図１３】本発明の実施例に係わる放射性廃棄物収納用容器のシール用パッキンの他の例を示す縦断面図である。
【図１４】本発明の実施例に係わる放射性廃棄物収納用容器のシール用パッキンの他の例を示す縦断面図である。
【符号の説明】
【００４７】
１  容器本体
２  蓋
３  蓋掴み部
４  外れ止めパッキン
４ａ  基部
４ｂ  フィン部
４ｃ  開孔
５  蓋下面パッキン
６  シール用パッキン
６ａ  平板状部分
６ｂ  変形部分
７  容器フランジ
８  搬送用キャスク
９  放射線しゃへいハッチ
１０  放射線しゃへいハッチパッキン
１１  放射線しゃへいハッチパッキン
１２  スリット付きＤ型パッキン
１３  スリット付き楔型パッキン
１４  スポンジパッキン
１５  スリット付きブロック型パッキン
１６  ガス抜き孔付きＯリング
１６ａ  平板状部分
１６ｂ  変形部分
１６ｃ  ガス抜き孔
１７  ベローズリング
１７ａ  平板状部分
１７ｂ  変形部分
１８  蓋外周部フ形パッキン
１９  容器フランジ外周部パッキン
２０  蓋フランジ
２１  床スラブ
２２  外周部材
２３  シール材
２４  位置決め部材
【図１】
2005207917.tif 000003
【図２】
2005207917.tif 000004
【図３】
2005207917.tif 000005
【図４】
2005207917.tif 000006
【図５】
2005207917.tif 000007
【図６】
2005207917.tif 000008
【図７】
2005207917.tif 000009
【図８】
2005207917.tif 000010
【図９】
2005207917.tif 000011
【図１０】
2005207917.tif 000012
【図１１】
2005207917.tif 000013
【図１２】
2005207917.tif 000014
【図１３】
2005207917.tif 000015
【図１４】
2005207917.tif 000016